(57)【特許請求の範囲】
【請求項１】
洋式便器の側部および後部の上方に配設の手摺部と手摺部を支持する左右の脚を有し、洋式便器の左右の基体側壁を脚により押圧して固定する洋式トイレ用介助具において、手摺部を支持する脚の下端に左右のトイレ側壁に沿い水平に延びる足部を具備して足部を左右のトイレ側壁の下端に当接し、且つ、左右の脚から洋式便器の基体側に伸縮杆を設けて伸縮杆を洋式便器の左右の基体側壁に押圧し、左右の脚を足部から垂直に立設する縦パイプと上部が内側へ傾斜している傾斜部から形成して左右の手摺部の間隔を縮めていることを特徴とする洋式トイレ用介助具。
【請求項２】
伸縮杆は左右の脚から洋式便器の基体側に垂直に設けた接続管に螺合していることを特徴とする請求項１記載の洋式トイレ用介助具。
【請求項３】
接続管は脚に嵌脱自在に設けたことを特徴とする請求項２記載の洋式トイレ用介助具。
【請求項４】
足部は縦パイプ前方の前足部と縦パイプ後方の後足部からなり、縦パイプは前足部の長さを後足部の長さより大とする配分割合の足部位置に立設し、且つ、手摺部の左右の肘付部の屈曲端部を前足部の先端より突出しないものとしていることを特徴とする請求項１ないし請求項３のいずれかに記載の洋式トイレ用介助具。
【請求項５】
手摺部の左右の肘付部は肘付部後端で内方に傾斜するように２度折曲して面取りを形成して折曲部を経て連結部により連結していることを特徴とする請求項１ないし請求項４のいずれかに記載の洋式トイレ用介助具。
【発明の詳細な説明】
【０００１】
【発明の属する技術分野】
本発明は、膝や足の屈伸が不自由な人あるいは高齢者が洋式便器を使用する際の洋式便器への着座および起立の動作を補助するための洋式便器用介助具に関する。
【０００２】
【従来の技術】
従来、疾患による膝や足の不自由な人や事故による骨折などのために足にギブスをした人あるいは高齢者が、洋式便器を使用する際に自力で洋式便器の便座に着座したり便座から起立することは、膝や足の屈伸が不自由なため極めて困難で時には苦痛を伴い時間のかかる動作を要していた。また、介助者が付き添っている場合でも洋式便器への着座あるいは洋式便器からの起立は容易でなく、介助者の負担も大きかった。
【０００３】
これらの不都合を解決するために、実開平５−２３９９７号および特開平７−２０９９７号の公報に開示されている手摺装置からなる介助装置が提案されている。
【０００４】
これらの手摺装置は、洋式便器本体の基部すなわち基体の左右側面に手摺装置の固定用の棒体の先端を圧接することにより手摺装置を洋式便器に固定するものである。
【０００５】
しかしながら、これらの従来のものでは、洋式便器の左右側面に棒体の先端部をネジ回転により延ばして基体側面を圧接して洋式便器に固定させるものであるが、洋式便器の基体の左右側面は、曲面により形成されているため、棒体の先端部が洋式便器の左右の基体側面に確実に圧接しないため、手摺装置を洋式便器に固定することは難しかった。さらに、洋式便器へ固定するために必要な棒体の繰り出し量が大きく、組立時に不便であった。
【０００６】
また、上記の手摺装置は、両者とも洋式トイレの後側に一体に連設された水タンクの一体形式のものには適用できるが、洋式便器の後側の左右すなわち両隅に水タンクを設置した形式のものには、手摺装置のフレームが邪魔になり取り付けることが出来なかった。
【０００７】
また、上記の手摺装置は、洋式便器の左右の基体側面に棒体の先端部を圧接して洋式便器に固定するものであり、その圧接力を手摺装置で受けるため、手摺装置自体が力を受けて変形する。そのため手摺装置の強度をより大きくしなくてはならず、そのため構成部材が重くなる問題がある。
【０００８】
【発明が解決しようとする課題】
本発明は、上記のように膝や足腰の屈伸が不自由なものが自宅の既存の洋式便器を使用する際の介助具において、洋式便器の左右の基体側壁の形状がたとえ曲面であっても確実に圧接固定して容易に設置でき、圧接に必要な棒体のネジ回転による繰り出し距離を短いものとし、かつ、水タンクの形状、設置場所に関係なく設置でき、使用時にガタ付くことなく安心して使用でき、さらに膝や足腰に負担を掛けることなく自力で洋式便器への着座動作と洋式便器からの起立動作をスムーズに行える介助具を提供することである。
【０００９】
【課題を解決するための手段】
上記の課題を解決するための本発明の手段は、請求項１の発明では、洋式便器の側部および後部の上方に配設の手摺部と手摺部を支持する左右の脚を有し、洋式便器の左右の基体側壁を脚により押圧して固定する洋式トイレ用介助具において、手摺部を支持する脚の下端に左右のトイレ側壁に沿い水平に延びる足部を具備して足部を左右のトイレ側壁の下端に当接し、且つ、左右の脚から洋式便器の基体側に伸縮杆を設けて伸縮杆を洋式便器の左右の基体側壁に押圧し、左右の脚を足部から垂直に立設する縦パイプと上部が内側へ傾斜している傾斜部から形成して左右の手摺部の間隔を縮めていることを特徴とする洋式トイレ用介助具である。
【００１０】
請求項２の発明では、伸縮杆は左右の足部から洋式便器の基体側に垂直に設けた接続管に螺合していることを特徴とする請求項１の手段における洋式トイレ用介助具である。
【００１１】
請求項３の発明では、接続管は脚に嵌脱自在に設けたことを特徴とする請求項２の手段における洋式トイレ用介助具である。
【００１２】
請求項４の発明では、足部は縦パイプ前方の前足部と縦パイプ後方の後足部からなり、縦パイプは前足部の長さを後足部の長さより大とする配分割合の足部位置に立設し、且つ、手摺部の左右の肘付部の屈曲端部を前足部の先端より突出しないものとしていることを特徴とする請求項１ないし請求項３のいずれかの手段における洋式トイレ用介助具である。
【００１３】
請求項５の発明では、手摺部の左右の肘付部は肘付部後端で内方に傾斜するように２度折曲して面取りを形成して折曲部を経て連結部により連結していることを特徴とする請求項１ないし請求項５のいずれかの手段における洋式トイレ用介助具である。
【００１４】
上記の技術的手段は次のように作用する。本発明の洋式トイレ用介助具は、接続管を脚に嵌脱自在に設けているため、トイレ内に設置するとき接続管を脚から外した状態、すなわち本洋式トイレ用介助具の内側（洋式便器側）に突出する部材が無いため洋式便器に当接する物が無い状態で設置できる。このように接続管を脚から外した状態でトイレ内に設置した後、足部をトイレ側壁の下端に当接させ、次いで接続管の一方端に伸縮杆を螺合し、さらに他方端に設けた舌片を脚の保持部に嵌合し、そして伸縮杆を回動させて洋式便器の左右の基体側壁に伸縮杆の押圧部を押圧させる。この押圧状態において本発明の洋式トイレ用介助具は洋式便器とトイレ側壁の下端により保持されている状態となって固定される。そして、この保持状態において、一体型水タンクには連結部が、隅付き水タンクには折曲部が対向していることになる。
【００１５】
【発明の実施の形態】
図面を参照して本発明の実施の形態を説明する。図１ないし図１１において、符号の１は本発明の洋式トイレ用介助具である。洋式トイレ用介助具１は、洋式便器３０の後部に一体型水タンク３６あるいはトイレ後壁３２の隅に三角柱状の隅付き水タンク３７を具備する洋式トイレに設置して使用するものであり、主として金属のフレームからなる手摺部２および脚３からなる。
【００１６】
脚３は、洋式便器の左右のトイレ側壁３１際の床上に設置されトイレ側壁３１に沿って前後方向に水平に延びる左右の足部１３と、足部１３の後半部から立設する縦パイプ１１からなる。足部１３は縦パイプ１１の前方の前足部１４と縦パイプ１１の後方の後足部１５からなり、縦パイプ１１の立設部１６の足部１３の位置は前足部１４の長さＬ１を後足部１５の長さＬ２より大とする配分割合の足部位置である。本実施の形態では、Ｌ１：Ｌ２の比は２：１とする。このようにすると手摺部２の前方に体重が掛かっても前のめりになることが防止できる。足部１３の前後端にはゴム製等の滑止め２９を嵌合している。脚３は縦パイプ１１の上部の傾斜部１２の先端に設けた継手部１７を介して上方に手摺部２を支持する。傾斜部１２はトイレ側壁３１から洋式便器３０の設置側の内方へ傾斜し、手摺部２の左右の肘付部４の間隔を縮めてトイレ使用者の両脇下に肘付部４が存在するようにしている。この傾斜部１２を設けることにより縦パイプ１１がトイレ側壁３１際に存在することになり、便器上方と傾斜部１２との間の空間部分が拡がる。そこでウォッシュレット操作部を操作する際に或いは大便等の用後にトイレットペーパーを使用する際に縦パイプ１１が邪魔にならない利便さがある。継手部１７は３方継手で傾斜部１２の嵌合孔に垂直に前後方向の挿着孔４８を有する。この挿着孔４８に先端の挿入孔４５から前半側部に開口するスリット４６を有する挿着管４４の後端を挿入して適宜手段で固着している。挿着管４４の挿入孔４５際の外周にはスリット４６の部分の挿着管４４を締めつけるネジ孔４７を有する締めつけ片からなるブラケット２５が嵌合され、ネジ２６とナット２７で締めつける。
【００１７】
さらに、本発明では、手摺部２の高さの調節手段として、縦パイプ１１は上パイプ４９と下パイプ５０に分割し、鉛直方向に垂下する上パイプ４９を下パイプ５０に挿入するものとすることもできる。その第１の例は、この下パイプ５０には上パイプ４９に押しつけて締結するための固定ネジ５１を設け、一方、上パイプ４９の高さ調節のために上パイプ４９の下端が載るための調節ネジ５２を設け、この調節ネジ５２を挿通して高さを変更する複数段に間隔をあけて設けた調節孔５３が固定ネジ５１の下方に穿孔されている。第２の例は、上パイプ４９の外周面に複数段の間隙をあけた凹溝５４を形成し、一方、この凹溝５４に先端が嵌入する固定ネジ５１を下パイプ５０の外面から螺合貫通せしめ、下パイプ５０に嵌挿した上パイプ４９のいずれかの高さの段の凹溝５４を選択して固定ネジ５１を締めつけて固定し、手摺部２の高さを調節する。第３の例は、下パイプ５０の上端に下パイプ５０と同径でかつ手摺部２の高さを定める適宜長さの座金用パイプを載置して上パイプ４９を座金用パイプ５５と下パイプ５０に挿嵌し、上パイプ４９の上部の傾斜部１２の下端の上パイプ４９との境界部分に座金用パイプ５５の上端を当接させて高さを決定する。下パイプ５０には上パイプ４９に押しつけて締結するための固定ネジ５１を設けている。
【００１８】
手摺部２は、後方の連結部５と連結部５から前方に延びる左右の肘付部４、４からコの字形に金属フレームにより形成されている。連結部５と肘付部４は折曲部６で面取りされている。すなわち、肘付部４は４５度折曲されて折曲部６となり、折曲部６はさらに４５度折曲されて連結部５となっている。面取りによるこの折曲部６を設けたことにより、三角柱状の隅付き水タンク３７を隅部に付設したトイレにおいても、本発明の洋式トイレ用介助具は設置可能である。肘付部４の前側は屈曲部７に連なり、屈曲部７でフレームは下方に曲げられ屈曲端部８となって肘付部４に平行に後方に折り返して挿入部９に形成されている。屈曲部７の屈曲端部８は足部１３の前足部１４の先端より突出しないものとする。このようにすることで肘付部４の前部に使用者の体重が掛かっても洋式便器用介助具１が前にのめる事態とならず、使用者は安心して肘付部に体重を掛けることができる。さらに肘付部４の周囲には抗菌樹脂からなる軟質の樹脂パイプの肘付部材２８を被せる。このように手摺部２の肘付部４のフレームの周囲に抗菌処理した軟らかい樹脂の部材を配設しているので衛生的であり、ソフトで温かい感触が得られ、かつ、手が誤って滑ることのない滑り止め効果を有しているので身障者や老齢者に安全である。次いで挿入部９は挿着管４４の挿入孔４５に挿着されてブラケット２５で締結される。継手部１７の挿着管４４に挿着した挿入部９の後端にはキャップ１０が嵌合される。
【００１９】
洋式便器３０側に面した脚３の縦パイプ１１の内面には、洋式便器３０の基体３３の基体側壁３４の外側方向の位置に伸縮杆１８を螺合する接続管２０を取り付ける保持部２２が設けられている。保持部２２の上面は縦方向の挿入孔が開口している。この保持部２２の挿入孔に接続管２０の端部を直角に折曲して形成した舌片２１が挿着される。あるいは他の形態として保持部２２の代わりに突出片３９を縦パイプに溶着し、一方接続管２０の端部の端面にこの突出片３９が挿入される孔を有する挿嵌部３８を形成し、突出片３９を挿嵌部３８に挿入することにより、縦パイプ１１に接続管２０を接続する。接続管２０の他端は伸縮杆１８を嵌合係着する嵌合部４０で、嵌合部４０にはナット２４が溶着されており、ナット２４の雌ネジを有する嵌合孔４１が形成されている。伸縮杆１８はボルト状で雄ネジが形成されており、この雄ネジが嵌合孔に螺合される。伸縮杆１８の他端には押圧部１９を具備している。押圧部１９は軟質ゴムを先端部に有し伸縮杆１８の球部４２を嵌入している凹部４３からなるユニバーサルジョイントであるので、洋式便器３０の基体側壁３４の表面が角度を有して傾斜していたり、曲面を形成していても自由にかつ確実に当接できる。ところで洋式便器３０の基体は通常前方が円形に張出し基体側壁３４の部分は平面に形成されて狭まっている。伸縮杆１８の押圧部１９側には径大のノブ２３が溶着されており、ノブ２３の回転により伸縮杆１８のネジの回転を容易にしている。本発明では接続管２０を有するので伸縮杆のネジ回転による繰り出し量が少なく、組立時の取扱の便に優れていると共に、接続管２０は嵌脱自在であるから洋式トイレ用介助具１をトイレ内に設置する場合には、始め接続管２０を外した状態で行えるので、洋式トイレ用介助具１の内方（洋式便器基体側）に突出する部材が存在することなく、したがって洋式便器に当接するものがないため容易に行える。
【００２０】
次に、本発明の洋式トイレ用介助具１を洋式トイレに設置する際の組立手順を説明すると、以下の工程順で組立を行う。
（１）手摺部２の左右の挿入部９、９を左右の継手部１７、１７に連設している挿着管４４、４４に嵌挿する。
【００２１】
（２）それぞれの挿着管４４に設けているブラケット２５をネジ２６により締め、挿入部９を仮止めする。
【００２２】
（３）この仮組立状態で洋式トイレ用介助具１を洋式便器３０および水タンクの位置に合わせて、おおよその位置に配置する。
【００２３】
（４）洋式トイレ内の左右のトイレ側壁３１、３１の下端３５、３５に左右の足部１３、１３を当接させる。
【００２４】
（５）左右の接続管２０、２０に左右の伸縮杆１８、１８を螺合してそれぞれの接続管２０の舌片２１を縦パイプ１１に取り付けた保持部２２に挿着する。
【００２５】
（６）手摺部２の左右の肘付部４、４をトイレ使用者の位置に合わせるために、左右の挿入部９、９を前後に移動し、さらに必要に応じて高さ調節をして、手摺部２を最終位置にセットする。
【００２６】
（７）左右の伸縮杆１８、１８のそれぞれのノブ２３、２３を回転させてそれぞれの伸縮杆１８、１８の先端の押圧部１９、１９を洋式便器３０の基体３３の左右の基体側壁３４、３４に押圧させ、この押圧により左右の足部１３、１３を左右のトイレ側壁３１、３１の下端３５、３５に圧接状態にする。
【００２７】
（８）最後に左右のブラケット２５、２５のネジ２６、２６を本格的に締めつけて固定する。
以上の手順により、本発明の洋式トイレ用介助具は、トイレ内に確実に固定して設置することができる。
【００２８】
【発明の効果】
以上説明したように、本発明は上記の構成であるので、次の特有の効果を有する。
【００２９】
（１）トイレ内の左右のトイレ側壁の下端に足部が当接しているので、伸縮杆の押圧部の押圧力はトイレ側壁が受けていることとなり、伸縮杆の押圧部の押圧力を洋式トイレ用介助具自体で受けることはない。従って、従来の洋式トイレ用介助具のように洋式トイレ用介助具自体が変形することない。
【００３０】
（２）さらに確実にトイレ内に固定できるため、使用時にガタ付きが無く、使用者に安心感を与える。また、長期間使用しても固定力が衰えることないので、洋式トイレ用介助具のフレームなどの構成材は特別の強度を必要とすることなく、コストが易く、かつ、軽量化できる。
【００３１】
（３）接続管を設けて、接続管に伸縮杆を螺合しているので、伸縮杆の回転によるネジ移動による繰り出し距離が短く迅速に固定できるし、かつ接続管は嵌脱自在に設けているからトイレ内に設置する作業時には、始めは接続管を外した状態で設置作業ができる。従って、狭いトイレ内での作業が容易である。
【００３２】
（４）左右対称の部材を手摺部で連結するだけで洋式トイレ用介助具本体が完成できる構成である。従って、手摺部の連結を取り外した状態で梱包することができ、嵩張ることなく効率よく荷造りして運送でき、かつ、現場での解梱および組立が極めて容易である。
【００３３】
（５）前足部の長さを後足部の長さより大としていることにより、伸縮杆が緩んで洋式便器の基体側壁に対する押圧力が弱くなった場合においても、使用者が手摺部の前方に体重を掛けて着座あるいは起立動作をしたとしても、使用者が介助具と共に前に倒れる不都合が防止できる。
【図面の簡単な説明】
【図１】  本発明の洋式トイレ用介助具の１実施形態の要素説明する斜視図である。
【図２】  本発明の洋式トイレ用介助具の組立斜視図である。
【図３】  本発明の洋式介助用具の洋式便器への取付け説明図である。
【図４】  本発明の洋式介助用具の他の洋式便器への取付け説明図である。
【図５】  縦パイプへの伸縮杆の取付け状態を示す分解図である。
【図６】  縦パイプへの伸縮杆の他の取付け状態を示す分解図である。
【図７】  脚への手摺部の取付けの説明図である。
【図８】  手摺部を取付ける脚の継手構造を示す説明図である
【図９】  縦パイプを上パイプと下パイプに分割した構造の説明図である。
【図１０】  縦パイプを上パイプと下パイプに分割した他の構造の説明図である。
【図１１】  縦パイプを上パイプと下パイプに分割したさらに他の構造の説明図である。
【符号の説明】
１  洋式トイレ用介助具
２  手摺部
３  脚
４  肘付部
５  連結部
６  折曲部
７  屈曲部
８  屈曲端部
９  挿入部
１０  キャップ
１１  縦パイプ
１２  傾斜部
１３  足部
１４  前足部
１５  後足部
１６  立設部
１７  継手部
１８  伸縮杆
１９  押圧部
２０  接続管
２１  舌片
２２  保持部
２３  ノブ
２４  ナット
２５  ブラケット
２６  ネジ
２７  ナット
２８  肘付部材
２９  滑止め
３０  洋式便器
３１  トイレ側壁
３２  トイレ後壁
３３  基体
３４  基体側壁
３５  下端
３６  一体型水タンク
３７  隅付き水タンク
３８  挿嵌部
３９  突出片
４０  嵌合部
４１  嵌合孔
４２  球部
４３  凹部
４４  挿着管
４５  挿入孔
４６  スリット
４７  ネジ孔
４８  挿着孔
４９  上パイプ
５０  下パイプ
５１  固定ネジ
５２  調節ネジ
５３  調節孔
５４  凹溝
５５  座金用パイプ
【図１】
0003808180.tif 000002
【図２】
0003808180.tif 000003
【図３】
0003808180.tif 000004
【図４】
0003808180.tif 000005
【図５】
0003808180.tif 000006
【図６】
0003808180.tif 000007
【図７】
0003808180.tif 000008
【図８】
0003808180.tif 000009
【図９】
0003808180.tif 000010
【図１０】
0003808180.tif 000011
【図１１】
0003808180.tif 000012